(57)【要約】【解決手段】  上下２本のビーム１，２の両端部に、少なくとも水平方向の軸3aを枢軸とするヒンジ３，３をそれぞれ備える。上下２本のビーム１，２の両端部における上下のヒンジ３，３の間隔を等しくする。【効果】  上下２本のビーム１，２が絶えず平行を保つから、浮揚構造物Ｃの傾きを強制的に押さえ、安定性をより確実ならしめることができるのみならず、安全性を向上させることができる。  そして、この係留装置を用いて浮揚構造物Ｃを係留すれば、上下２本のビーム１，２が絶えず平行を保って、浮揚構造物Ｃを常に水平状態に保ちながら水位の変動に追従させることができる。従って、必要最小限の幅でも浮揚構造物Ｃの傾きが強制的に押さえられ、浮揚構造物Ｃの十分な安定性が確保される。【選択図】  図１
2005314884.tif 000002
【特許請求の範囲】
【請求項１】
上下２本のビームの両端部に、少なくとも水平方向の軸を枢軸とするヒンジをそれぞれ備え、両端部における上下のヒンジ間隔を等しくしたことを特徴とするダブルビーム式係留装置。
【請求項２】
垂直方向の軸を枢軸とするヒンジを合わせ持つことを特徴とする請求項１記載のダブルビーム式係留装置。
【請求項３】
請求項１又は２記載のダブルビーム式係留装置を備え、この係留装置の一端部を護岸側に、他端部を浮揚構造物側にいずれもヒンジ結合したことを特徴とする浮揚施設。
【請求項４】
請求項３記載の浮揚施設を取水設備あるいはゲートの前面に配置したことを特徴とする浮桟橋式流木止め設備。
【発明の詳細な説明】
【技術分野】
【０００１】
本発明は、上下２本のビームからなる係留装置及びこの係留装置を備えた浮揚施設と浮桟橋式流木止め設備に関するものである。
【背景技術】
【０００２】
浮桟橋や船舶の発着場などの浮揚施設、取水設備あるいはゲートの前面に設置される流木止め設備、その他の様々な浮揚施設にあっては、様々な形態の浮揚構造物を備えており、それを水面に浮かべてそれぞれの機能を果たさせている。
【０００３】
例えば、浮桟橋や船舶発着場などの浮揚施設の浮揚構造物は、通常、係留装置により護岸に係留されている。また、ダム取水口その他の取水設備の前面やその他のゲートの前面には、水面を浮遊する流木、塵芥が取水口に流入するのを防止するために、網場と称する流木止め設備が設置されているが、この設備の浮揚構造物も、通常、係留装置により護岸に係留されている。
【発明の開示】
【発明が解決しようとする課題】
【０００４】
このような浮揚施設の浮揚構造物を護岸に係留するに当っては、従来、護岸にガイドレールを取り付け、それに沿わせて浮揚構造物をスライドさせ得るようにしていた。しかしながら、ガイドレールを取り付けることができない構造の護岸には、浮揚構造物を係留することができなかった。
【０００５】
このような護岸に浮揚構造物を係留するために、左右２本のビームの一端部を護岸側に、他端部を浮揚構造物側にいずれもヒンジ結合する形式の係留装置が開発されている（例えば、特許文献１参照）。
【特許文献１】特開平３−１２５７０６号公報
【０００６】
しかしながら、この場合には、左右２本のビームで浮揚構造物が係留されているため、浮揚構造物が傾き勝ちで、浮揚時浮揚構造物を安定させるには浮体部分の幅を十分取る必要があった。
【０００７】
また、一般的に、波浪や作業者の体重その他浮揚構造物にかかる荷重などによって、あるいは、ダム取水口その他の取水設備の場合においては取水することにより生じる水流などによって、浮揚構造物が不安定になることが多い。
【０００８】
浮揚構造物の浮揚時の安定性は、通常、水の水流抵抗の回転モーメントや浮揚構造物にかかる荷重の作用により浮揚構造物が傾き、それに伴ってフロートが沈み込み、その際に増加した浮力が反対モーメントとして働くことによって確保される。従って、浮揚構造物が安定性を保つためには、復元力を生じさせるだけの幅が確保されていなければならず、その幅以下の場合には当然安定性の面で欠点を有することになる。
【０００９】
このように、浮揚構造物が浮揚時の安定性を保つための要因としては様々なものを挙げることができるが、本発明では、それをできるだけ簡単な機構で、しかも、必要最小限の幅で傾きを強制的に押さえ、十分な安定性を確保し得るようにしたものである。
【課題を解決するための手段】
【００１０】
上記目的を達成するために、本発明では、上下２本のビームの両端部に、少なくとも水平方向の軸を枢軸とするヒンジをそれぞれ備え、両端部における上下のヒンジ間隔を等しくしたダブルビーム式係留装置を用いる。
この係留装置によれば、上下２本のビームが絶えず平行を保つから、浮揚構造物の傾きを強制的に押さえ、安定性をより確実ならしめることができるのみならず、安全性を向上させることができる。
そして、この係留装置を用いて浮揚構造物を係留すれば、上下２本のビームが絶えず平行を保って、浮揚構造物を常に水平状態に保ちながら水位の変動に追従させることができる。従って、必要最小限の幅でも浮揚構造物の傾きが強制的に押さえられ、浮揚構造物の十分な安定性が確保される。
【００１１】
上下２本のビームの両端部には、少なくとも水平方向の軸を枢軸とするヒンジ以外に、垂直方向の軸を枢軸とするヒンジを合わせ持つことが望ましい。垂直方向の軸を枢軸とするヒンジを合わせ持っていると、この係留装置により係留されている浮揚構造物に横方向から大きな力が掛かっても、それに十分耐えることができる。
【００１２】
また、本発明では、上述したダブルビーム式係留装置の一端部を護岸側に、他端部を浮揚構造物側にいずれもヒンジ結合することにより、浮揚施設を極めて簡単に構築することができる。
この浮揚施設は、絶えず平行を保つ上下のビームによって常に水平を保ちながら水位の変動に追従できるから、浮揚施設の傾きが強制的に押さえられ、十分な安定性を有している。従って、浮揚施設そのものを必要最小限の幅にすることができ、それだけ経済的な施設になるのみならず、施工費の縮減に寄与することができる。
【００１３】
さらに、本発明では、上述した浮揚施設を取水設備あるいはゲートの前面に配置することによって、浮桟橋式流木止め設備を極めて簡単に構築することができる。
この浮桟橋式流木止め設備は、絶えず平行を保つ上下のビームによって常に水平を保ちながら水位の変動に追従できるから、浮桟橋式流木止め設備の傾きが強制的に押さえられ、十分な安定性を有している。従って、この浮桟橋式流木止め設備を利用してダム取水口やゲートの保守・点検作業を安全かつ正確に行うことができる。
なお、取水設備あるいはゲートが長くない場合には、１基の浮揚施設でも対応できるが、取水設備あるいはゲートが長い場合には、浮揚施設を複数連結し、それらを取水設備あるいはゲートの前面に配置することが望ましい。
【発明の効果】
【００１４】
請求項１記載の係留装置によれば、浮揚構造物の安定性をより確実ならしめることができるのみならず、安全性を向上させることができる。
そして、この係留装置を用いて浮揚構造物を係留すれば、上下２本のビームが絶えず平行を保ち、浮揚構造物を常に水平状態に保ちながら水位の変動に追従させることができるから、必要最小限の幅でも浮揚構造物の傾きが強制的に押さえられ、浮揚構造物の十分な安定性が確保される。
【００１５】
請求項２記載の係留装置によれば、この係留装置により係留されている浮揚構造物に横方向から大きな力が掛かっても、それに十分耐えることができる。
【００１６】
請求項３記載の浮揚施設によれば、絶えず平行を保つ上下２本のビームによって常に水平を保ちながら水位の変動に追従できるから、浮揚施設の傾きが強制的に押さえられ、十分な安定性を有しており、浮揚施設そのものを必要最小限の幅にすることができ、それだけ経済的な施設になるのみならず、施工費の縮減に寄与することができる。
【００１７】
請求項４記載の浮桟橋式流木止め設備によれば、絶えず平行を保つ上下２本のビームによって常に水平を保ちながら水位の変動に追従できるから、浮桟橋式流木止め設備の傾きが強制的に押さえられ、十分な安定性を有しており、この浮桟橋式流木止め設備を利用してダム取水口やゲートの保守・点検作業を安全かつ正確に行うことができる。
【発明を実施するための最良の形態】
【００１８】
本発明の最も好ましい実施の形態を、図面に基づいて詳細に説明する。
ダブルビーム式係留装置とは、原理を示す図１から明らかなように、同一長さの上下２本のビーム１，２の両端部に、少なくとも水平方向の軸3aを枢軸とするヒンジ３，３をそれぞれ備え、両端部における上下のヒンジ３，３の上下間隔を左右とも等しくしたものである。そして、このように構成されたダブルビーム式係留装置Ａを浮揚構造物Ｃの係留装置として用いる（図２〜図４参照）。
【００１９】
この係留装置によれば、図３の(a)、(b)、(c)に示すように、同一長さの上下２本のビーム１，２が絶えず平行を保つから、浮揚構造物Ｃの傾きを強制的に押さえ、浮揚構造物Ｃの安定性をより確実ならしめることができるのみならず、安全性を向上させることができる。
そして、この係留装置Ａを用いて浮揚構造物Ｃを係留すれば、同一長さの上下２本のビーム１，２が絶えず平行を保ち、図３の(a)、(b)、(c)に示すように、浮揚構造物Ｃを常に水平状態に保ちながら水位の変動に追従させることができる。従って、必要最小限の幅でも浮揚構造物Ｃの傾きが強制的に押さえられ、浮揚構造物Ｃの十分な安定性が確保される。
なお、図３の(a)は洪水時その他の異常高水位を、図３の(b)は高水位を、図３の(c)は低水位を表わす。
【００２０】
また、図２、図３に示すように、このダブルビーム式係留装置Ａの一端部を護岸側Ｂに、他端部を浮揚構造物Ｃ側にいずれもヒンジ結合することにより、浮揚施設を極めて簡単に構築することができる。図３においては、同一長さの上下２本のビーム１，２と両ビーム１，２を同一側端部で互いに連結する同一長さの２本の連結杆５，５とで形成される四辺形型のリンク機構により、ダブルビーム式係留装置Ａが構成されている。そして、水平方向の軸3aを枢軸とするヒンジによる結合部分を、図３において図面符号３で示す。
【００２１】
この浮揚施設は、図３の(a)、(b)、(c)に示すように、絶えず平行を保つ同一長さの上下２本のビーム１，２と両ビーム１，２を同一側端部で互いに連結する同一長さの２本の連結杆５，５とで形成される四辺形型のリンク機構によって常に水平を保ちながら水位の変動に追従できるから、浮揚施設の傾きが強制的に押さえられ、十分な安定性を有している。従って、浮揚施設そのものを必要最小限の幅にすることができ、それだけ経済的な施設になるのみならず、施工費の縮減に寄与することができる。
【００２２】
同一長さの上下２本のビーム１，２と両ビーム１，２を同一側端部で互いに連結する同一長さの２本の連結杆５，５とで形成される四辺形型のリンク機構により構成されるダブルビーム式係留装置Ａによれば、上下のヒンジ３，３が連結杆５によって連動しているため、水位によって上下２本のビーム１，２の角度が変わっても上下のヒンジ３，３の位置は常に垂直状態を保つことになる。従って、浮揚構造物Ｃないし浮揚施設のデッキ面も水平状態に保たれる。
【００２３】
ここに示すダブルビーム式係留装置Ａは、水平方向の軸3aを枢軸とする前記ヒンジ３，３のほかに、垂直方向の軸4aを枢軸とするヒンジ４，４を合わせ持っている。すなわち、図４に示すように、同一長さの上下２本のビーム１，２の両端部に位置するヒンジ３，３の外側に、垂直方向の軸4aを枢軸とするヒンジ４をそれぞれ連結してある。
垂直方向の軸4aを枢軸とするヒンジ４，４を合わせ持つ係留装置を用いた場合には、この係留装置により係留されている浮揚構造物Ｃに横方向から大きな力が掛かっても、上下２つのヒンジ４，４の垂直方向の軸4a，4aを中心として浮揚構造物Ｃを図４の矢印で示す方向に移動可能とすることができる。従って、横方向に掛かる外力に十分耐えることができる。なお、この場合において、浮揚構造物Ｃにワイヤロープその他の係留具ｃを取り付け、浮揚構造物Ｃを引き止めておくとよい。
【００２４】
図３及び図４に示す場合においては、護岸側Ｂにおいて、上下２本の取付腕６，６を左右一対として護岸Ｂから水平方向に延び出させ、それらの先端に取り付けられている取付部材７の上下２箇所と護岸Ｂ側の連結杆５の上下２箇所において、垂直方向の軸4aを枢軸とするヒンジ４，４を連結することにより、ダブルビーム式係留装置Ａの一端部（図３の左端部）が護岸Ｂに取り付けられている。
【００２５】
一方、浮揚構造物Ｃ側においては、図４に示すように、浮揚構造物Ｃに取り付けられている取付部材８の上下２箇所と浮揚構造物Ｃ側の連結杆５の上下２箇所において、垂直方向の軸4aを枢軸とするヒンジ４，４を連結することにより、ダブルビーム式係留装置Ａの一端部（図３の右端部）に浮揚構造物Ｃが取り付けられている。
【００２６】
なお、設置されている浮揚構造物Ｃにあまり大きな力が掛からない場合には、水平方向の軸3aを枢軸とするヒンジ３，３のみのビームで十分であるが、設置されている浮揚構造物Ｃに横方向から大きな力が掛かる場合には、水平方向の軸3aを枢軸とするヒンジ３，３のみのビームでは対応できない。そこで、ここに例示する場合においては、同一長さの上下２本のビーム１，２の両端部に位置するヒンジ３，３の外側に、垂直方向の軸4aを枢軸とするヒンジ４をそれぞれ連結し、この係留装置により係留されている浮揚構造物Ｃに横方向から大きな力が掛かったとき、上下２つのヒンジ４，４の垂直方向の軸4a，4aを中心として浮揚構造物Ｃを図４の矢印で示す方向に移動可能とし、横方向に掛かる外力に十分耐え得るようにしてある。
【００２７】
このような浮揚施設を取水設備あるいはゲートの前面に配置することにより、浮桟橋式流木止め設備Ｄを極めて簡単に構築することができる。この浮桟橋式流木止め設備Ｄは浮桟橋の前面において流木、塵芥などが取水口９やゲートに流入するのを防止するためのものである。
取水設備あるいはゲートが長くない場合には、１基の浮揚施設でも対応できるが、取水設備あるいはゲートが長い場合には、例えば図２に示すように、浮揚施設を複数連結し、それらを取水設備あるいはゲートの前面に配置することにより、浮桟橋式流木止め設備Ｄを極めて簡単に構築することができる。
【００２８】
この浮桟橋式流木止め設備Ｄは、絶えず平行を保つ同一長さの上下２本のビーム１，２と両ビーム１，２を同一側端部で互いに連結する同一長さの２本の連結杆５，５とで形成される四辺形型のリンク機構によって常に水平を保ちながら水位の変動に追従できるから、浮桟橋式流木止め設備の傾きが強制的に押さえられ、十分な安定性を有している。従って、この浮桟橋式流木止め設備Ｄを利用してダム取水口９やゲートの保守・点検作業を安全かつ正確に行うことができる。
【００２９】
複数連結された長い浮揚構造物Ｃ，Ｃないし浮揚施設に対しては、例えば、図２の左側である上流側と図２の右側である下流側と２つの取水口９，９間である中央部分の３箇所においてそれぞれ前記ダブルビーム式係留装置Ａ，Ａを配置することにより、横方向に長い浮揚構造物Ｃないし浮揚施設を取水口９の前面に安定して係留することができる。
【００３０】
浮揚構造物Ｃないし浮揚施設は、浮揚するための浮力を有している。浮揚構造物Ｃないし浮揚施設に浮力体を取り付けることによって、浮揚構造物Ｃないし浮揚施設に浮力を付与することができる。また、浮揚構造物Ｃないし浮揚施設を鋼材などからなる中空状の機密構造とし、重量よりも排水体積を大きくすることによって、浮揚構造物Ｃないし浮揚施設に浮力を付与することもできる。
【００３１】
なお、上記の場合においては、浮桟橋式流木止め設備Ｄを取水設備である取水口９の前面に配置した場合を例に挙げて説明したが、この浮桟橋式流木止め設備Ｄをその他のゲートの前面に配置し、このゲートに流木、塵芥などが流れ込まない様にする場合にも適用できる。
【図面の簡単な説明】
【００３２】
【図１】本発明によるダブルビーム式係留装置の基本原理を説明するための概略図である。
【図２】本発明によるダブルビーム式係留装置により係留された浮揚構造物ないし浮揚施設を取水設備の取水口の前面に配置することにより、構築された浮桟橋式流木止め設備の一例を示す平面図である。
【図３】図２に示す浮桟橋式流木止め設備の拡大側面図である。
【図４】本発明によるダブルビーム式係留装置の一端が護岸に取り付けられ、他端に浮揚構造物が取り付けられた状態を拡大して示す平面図である。
【符号の説明】
【００３３】
１，２…ビーム、３…ヒンジ、3a…水平方向の軸、４…ヒンジ、4a…垂直方向の軸、５…連結杆、Ａ…ダブルビーム式係留装置、Ｂ…護岸、Ｃ…浮揚構造物、Ｄ…浮桟橋式流木止め装置。
【図１】
2005314884.tif 000003
【図２】
2005314884.tif 000004
【図３】
2005314884.tif 000005
【図４】
2005314884.tif 000006